(57)【特許請求の範囲】
【請求項１】
装置であって、
無線システムの複数の基地局からの所定のデータを含む、実際の無線システムのワイヤレス伝送を、受信方向の関数として受信するように構成される受信機であって、前記受信機は、受信方向を３次元的に分離するために２次元領域を占有する様式で配される少なくとも３の全方向性アンテナを含む、受信機と、
処理ユニットであって、
受信した前記データと、対応する所定のデータとの比較に基づいて、遅延プロフィールのタップを形成し、
前記伝送の受信方向に基づいて、前記遅延プロフィールの前記タップに関して方向を概算し、
テスト中の装置を配置可能な試験ゾーンの周りに複数のアンテナを有するオーバー・ジ・エアー・チャンバーでの多入力多出力エミュレーションにおける無線チャンネル・モデルのために、前記遅延プロフィールの前記タップを概算された前記方向と関連付けすることにより、無線チャンネル・データを形成する
ように構成される処理ユニットと
を含む装置。
【請求項２】
装置であって、
方向情報と関連するタップを持つ方向性遅延プロフィールと、無線システムの複数の基地局からの所定のデータとを含むものである、無線システムの実際の無線チャンネルの無線チャンネル・データを受信し、
遅延プロフィールの方向的に異なるタップを、異なるオーバー・ジ・エアー・アンテナへ割り当てることにより、前記オーバー・ジ・エアー・チャンバーの前記アンテナへ前記無線チャンネル・データをマップする
ように構成され、前記装置は、前記方向情報において受信方向を３次元的に分離するために２次元領域を占有する様式で配される少なくとも３の全方向性アンテナを含む、装置。 
【発明の詳細な説明】
【技術分野】
【０００１】
[0001]  本発明は無線チャンネル・データの収集およびその使用に関する。
【背景技術】
【０００２】
[0002]  ＤＵＴ（Ｄｅｖｉｃｅ  Ｕｎｄｅｒ  Ｔｅｓｔ（テスト中の装置））と無線システムの基地局との間の通信は、ＯＴＡ（Ｏｖｅｒ−Ｔｈｅ−Ａｉｒ（オーバー・ジ・エアー））試験を用いてテストすることができ、この試験では、モバイル端末などのような実際のＤＵＴが、可能な限りエコーを低くされたチャンバー内でエミュレーターと結合された複数のアンテナにより囲まれる。エミュレーターは、基地局と結合されるか又は基地局としてふるまい、チャンネル・モデルに従って、例えば、独立したレイリー・フェード信号（independent Rayleigh faded signals）を生成することにより、モバイル端末と基地局との間の伝播経路をエミュレートする。ＯＴＡアンテナは、前処理した通信信号を、エミュレートされた無線チャンネルにより決定される重みに基づいて、ＤＵＴへ送信する。
【０００３】
[0003]  生きたネットワークにおいて、即ち、特定の環境内の既存のインストールされたネットワークにおいてモバイル端末を測定することには、関心がもたれている。端末のベンダーは、ベンダーの製品を、可能な限り現実的なエミュレートされた環境を有するＯＴＡチャンバー内で測定し、「デバッグ」したいであろう。また、オペレーターは、ＯＴＡチャンバーにおけるオペレーターのインストールしたネットワークの問題のあるエリアを測定し、「デバッグ」したいであろう。
【０００４】
[0004]  しかし、ＯＴＡチャンバーのエミュレートされた無線チャンネルは、実際の（real）無線チャンネルと十分には対応しない。従って、より良い無線チャンネル・データについての要望がある。
【先行技術文献】
【特許文献】
【０００５】
ＰＣＴ国際出願第ＰＣＴ／ＦＩ２０１１／０５０１９０号
【非特許文献】
【０００６】
ＩＪＡＰ  ２０１２、「Channel modeling for multiprobe Over-The Air MINO testing」、P. Kyosti、T. jamsa、J-P Nuutinen
【発明の概要】
【０００７】
[0005]  以下では、本発明の幾つかの構成の基本的な理解を与えるために、本発明の簡素化した概要を提供する。ここでの目的は、後に提供する詳細な説明の序文として、本発明の幾つかの概念を簡素化した形で提供することである。
【０００８】
[0006]  本発明の構成は、請求項１の装置と関連する。
【０００９】
[0007]  本発明の構成は、請求項８の装置と関連する。
【００１０】
[0008]  本発明の構成は、請求項１２の方法と関連する。
【００１１】
[0009]  本発明の構成は、請求項１８の方法と関連する。
【００１２】
[0010]  本発明の構成は、請求項２２の装置と関連する。
【００１３】
[0011]  本発明の構成は、請求項２３のコンピューター・プログラムと関連する。
【００１４】
[0012]  本発明の様々な構成、実施形態、および特徴は独立して記載されているが、本発明の様々な構成、実施形態、および特徴の全ての組み合わせが可能であり、特許請求の範囲に記載の本発明の範囲内にあることを、理解すべきである。
【００１５】
[0013]  本解決法は利点を提供する。妥当な無線チャンネル・データを集める幾つかの効率的な方法があり、これは現実的な無線チャンネルのエミュレーションを可能にする。
【００１６】
[0014]  以下では、添付の図面を参照して例示の実施形態を用いて、本発明を更に詳細に説明する。
【図面の簡単な説明】
【００１７】
【図１】図１は、無線システムから無線チャンネル・データを集める受信機を示す。
【図２】図２は、受信機を示す。
【図３】図３は、パワー遅延プロフィールを示す。
【図４】図４は、方向に依存した遅延を示す。
【図５Ａ】図５Ａは、指向性アンテナを持つ受信機を示す。
【図５Ｂ】図５Ｂは、全方向性アンテナと、スイッチを介して受信機と結合される複数の指向性アンテナとを持つ受信機を示す。
【図６】図６は、全方向性アンテナと複数の指向性アンテナとを持つ受信機を示す。
【図７】図７は、全方向性アンテナを持つ受信機を示す。
【図８】図８は、２つの直交する偏波に対する受信機アンテナを示す。
【図９】図９は、ＯＴＡアンテナとエミュレーターとを示す。
【図１０】図１０は、ＦＩＲフィルターを示す。
【図１１】図１１は、３次元信号収集のスキャニング受信機に関するアンテナ構成を示す。
【図１２】図１２は、３Ｄ構成のスキャニング・アンテナに関するアジマス角の座標系を示す。
【図１３】図１３は、ドップラー・パワー・スペクトルを示す。
【図１４】図１４は、アンテナの３次元構成を示す。
【図１５】図１５は、受信機における方法のフロー・チャートを示す。
【図１６】図１６は、エミュレーターにおける方法のフロー・チャートを示す。
【発明を実施するための形態】
【００１８】
[0032]  以下で、添付の図面を参照して本発明の例示的な実施形態を詳細に説明するが、図面には、全てではなく幾つかの実施形態のみが示されている。実際、本発明は、多くの異なる形態で実現でき、ここに説明される実施形態に限定されると考えるべきではない。この明細書では、幾つかの部分で、「実施形態」、「１つの実施形態」、または「幾つかの実施形態」などと言及することもあるが、これは、必ずしも、それが同じ実施形態を参照することを意味するものではなく、また、特徴が１つの実施形態にのみ適用されることを意味するものではない。様々な実施形態の個々の特徴を組み合わせて、別の実施形態を構成することも可能である。
【００１９】
[0033]  無線周波数信号が送信機から受信機へ送られるとき、信号は、様々な到着角、信号遅延、およびパワーを有する１以上の経路に沿って無線チャンネル内を伝播する。また、周波数は、ドップラー効果により変化し得る。これらの変化は、様々な期間の信号の強度とフェージングとの変化の原因になり得る。更に、他の送信機に起因するノイズおよび干渉は、無線接続と干渉する。
【００２０】
[0034]  送信機および受信機は、実際の状況をエミュレートする無線チャンネル・エミュレーターを用いてテストすることができる。デジタル無線チャンネル・エミュレーターでは、無線チャンネルは、通常、ＦＩＲ（有限インパルス応答）フィルターを用いてモデル化される。
【００２１】
[0035]  ＯＴＡにおけるチャンネルのインパルス応答およびアンテナの重みの最適化は、正確な相関、到着角、および偏波の特性がＤＵＴに対して可能であるように、形成することができる。説明する解決法は、ライブであり且つ実際の無線システムから無線チャンネル・データを集めることができる。エミュレーションにおいて、説明する解決法はまた、例えば、少なくとも１つの送信機と、多次元無線チャンネル・エミュレーターと、無エコー性チャンバーと、無エコー性チャンバー内で個々の無線チャンネルと結合されるＯＴＡアンテナと、無エコー性チャンバー内のＤＵＴとを、用いることができる。
【００２２】
[0036]  図１では、受信機１１２は、道または何らかの他のルート１５０に沿って速度ｖで移動しており、無線システムの少なくとも１つの基地局１９６、１９８、１００からワイヤレス伝送を受信している。無線システムは、３ＧＰＰ（第３世代パートナーシップ・プロジェクト）ＬＴＥ（ロング・ターム・エボリューション）、ＷｉＭＡＸ（ワールドワイド・インターオペラビリティ・フォー・マイクロウェーブ・アクセス）、Ｗｉ−Ｆｉ、および／またはＷＣＤＭＡ（広帯域符号分割多元接続）といった技術に基づくことができる。受信機１１２はスキャナーであり、多入力多出力プレイバック・エミュレーションのための無線チャンネル・データを集め、多入力多出力プレイバック・エミュレーションは、試験ゾーン９２０の周りのアンテナ１０２〜１１６とＤＵＴ９００（図９も参照されたい）とを有するオーバー・ジ・エアー・チャンバー内で行われる。
【００２３】
[0037]  ＭＩＭＯ（Ｍｕｌｔｉｐｌｅ  Ｉｎｐｕｔ  Ｍｕｌｔｉｐｌｅ  Ｏｕｔｐｕｔ（多入力多出力））ＯＴＡのセットアップを用いるプレイバック・エミュレーションは、受信機１１２の方向の情報を必要とし、これは従来技術の測定では入手できない。多数のスキャナー・アンテナ１１６〜１２２を用いると、一時的なチャンネルの認識および指向性情報の双方を、受信した伝送に基づいて集めることができる。
【００２４】
[0038]  受信機１１２は、受信方向の関数として、少なくとも１つの基地局１９６、１９８、１００から送信の所定のデータを受け取る。所定のデータを含む送信は、例えば、ＬＴＥ（ロング・ターム・エボリューション）におけるダウンリンク参照信号を含むことができる。所定のデータを有する送信は、パイロット信号と呼ばれることもあり得る。一般に、所定の送信は、既知のビット・シーケンスを含み、送信は、規則的または不規則的に反復される。無線チャンネルは、所定の送信を、その送信機から受信機への経路において歪ませる。歪みは、受信された所定の送信のビットが受信機で検出されて実際の所定のビットと比較されたときに、判定することができる。歪みが判定されたとき、それを無線チャンネル・エミュレーションで再現することができる。
【００２５】
[0039]  全ての送信機１９６、１９８、１００は、送信機１００と似たものとすることができるので、以下では送信機１００のみを更に詳細に説明する。
【００２６】
[0040]  送信機１００は、少なくとも１つのアンテナ１０４〜１１０を含むことができる。この例では、送信機１００は、無線システムの基地局とすることができる。受信機１１２は、少なくとも１つのアンテナ１１６〜１２２を含む。ＭＩＭＯシステムでは、送信機１００と受信機１１２との双方が複数のアンテナを有し、それにより、通信性能およびデータのスループットが改善される。この例では、受信機１１２は、無線システムの加入者端末とすることができる。
【００２７】
[0041]  送信機１００が無線信号を送信するとき、その送信１２４は、見通し線を通して受信され得、且つ／又はその送信は、放射を反射および／または散乱させる少なくとも１つのクラスター１２６、１２８に当たり得る。各クラスター１２６、１２８は、クラスター１２６、１２８において主に反射および散乱させる複数のアクティブ領域１２６０〜１２６４、１２８０〜１２８４を有し得る。クラスター１２６、１２８は、固定されたもの又は移動するものであり得、クラスター１２６、１２８は、自然の物または人工の物であり得、例えば、ビルディング、列車、山などである。アクティブ領域は、物体上の何らかの細かい構造的特徴であり得る。
【００２８】
[0042]  反射および／または散乱されるビームは、受信機１１２のアンテナ１１６〜１２２へ向けられ得る。それぞれのアンテナ１１６〜１２２は、受信角φ１を有し得、その角度広がりはδφであり得、これはａδφｓｔｄであり得、ここにおいて、ａは０より大きい実数であり、δφｓｔｄは角φ１の標準偏差である。次に、クラスター１２６からの反射および／または散乱された送信１３０が、受信され得る。同様に、アンテナ１１６〜１２２はまた、受信角φ２からのビームを有し、その角度広がりはδφ２であり得る。見通し線に沿って真っ直ぐに伝わる信号に対して、少なくとも１つのクラスター１２６、１２８を介しての送信機１００から受信機１１２への伝播は、信号に対しての追加の遅延の原因となる。同様に、全ての基地局１９６、１９８、１００送信は、見通し線を通じて及び／又は少なくとも１つのクラスターから受信され得る。
【００２９】
[0043]  無線チャンネルにおけるクラスター１２６、１２８は、マルチパス伝播に対する責任を負う。１つの受信される経路は１つのクラスターからのものであると考えることができる。従って、無線チャンネルは、クラスターに基づいて説明することができる。
【００３０】
[0044]  クラスターはまた、例えば、無線チャンネルにおける伝送の偏波における変化の原因となり得る。
【００３１】
[0045]  実施形態では、ライブの無線ネットワークの測定を行っているとき、グローバル座標に関しての受信機１１２の方向、およびそれ故にスキャナー・アンテナ１１６〜１２２の方向を、測定することができる。図１では、北の方向が、文字Ｎを伴った矢印でマーク付けされている。受信機１１２の測定される方向は、メモリ２０４に格納することができる（図２も参照されたい）。
【００３２】
[0046]  実施形態では、受信機１１２の方向および折り返し（turn）を、例えば、グローバル・サテライト・システムを適用して測定することができる。受信機１１２は、測位用受信機（図１に示さず）を含むことができ、これは、例えば、グローバル・ポジショニング・システム（ＧＰＳ）、グローバル・ナビゲーション・サテライト・システム（ＧＬＯＮＡＳＳ）、ガリレオ・ポジショニング・システム（Ｇａｌｉｌｅｏ）、北斗衛星導航系統、準天頂衛星システム（ＱＺＳＳ）、またはインド地域航法衛星システム（ＩＲＮＳＳ）に基づく。
【００３３】
[0047]  実施形態では、受信機１１２は、他の既知の測位技術を用いて、その位置を判定することができる。例えば、モバイル電話機は、幾つかの異なる基地局から無線信号を受信することにより、その位置を判定することが、良く知られている。
【００３４】
[0048]  複数の異なる瞬間での複数の位置が測定されたとき、受信機１１２の方向は、測定された位置の連続的な線の動きの方向として定義され得る。受信機１１２の方向が、測定された位置の連続的な線の動きの方向ではない場合、それは、どんな場合でも、所定の方法で動きの方向に依存する。なぜなら、アンテナ１１６〜１２２は、受信機１１２に対して固定された位置にあるからである。
【００３５】
[0049]  受信機１１２の位置が３次元的に測定される場合、上り坂および下り坂も測定され得る。
【００３６】
[0050]  代替的または付加的には、或る種の電子コンパスを用いて受信機１１２の方向を判定することもできる。
【００３７】
[0051]  受信機１１２の水平および／または垂直の回転は、エミュレーションを行うときに補正することができる。従って、曲がった起伏のあり得る道に沿ってライブでの記録が行われているにもかかわらず、無線システムを真っ直ぐに駆動しているかのように、実際の無線システムをエミュレートすることができる。
【００３８】
[0052]  図２は、受信機のブロック図を示す。受信機１１２は、少なくとも２つのアンテナ１１６〜１２２と、ミキサー・ユニット２００と、処理ユニット２０２とを有する。更に、受信機１１２はメモリ２０４を有することができる。処理ユニット２０２は、プロセッサーを含むことができる。アンテナ１１６〜１２２が無線周波数信号を受信すると、ミキサー・ユニット２００は、その無線周波数信号をベース・バンドの低い周波数へとダウン・コンバートする。ベース・バンド信号は、デジタル形態に変換され、処理ユニット２０２へ供給され、処理ユニット２０２は無線チャンネルのエミュレーションを行う。
【００３９】
[0053]  チャンネル・エスティメーターを含み得る処理ユニット２０２は、受け取ったデータと対応する所定のデータとの比較に基づいて遅延プロフィールのタップ（tap）を形成することにより、時間的無線チャンネル・データを形成する。
【００４０】
[0054]  簡素化した形態では、それぞれの受信側アンテナ１１６での受信信号ｙは、マトリックスの形で下記のように表すことができる。
ｙ＝Ｍｈ＋ｎ      （１）
ここで、Ｍは、所定のデータを含み、ｈは、複素無線チャンネル・インパルス応答（complex radio channel impulse response）であり、ｎは、ノイズおよび干渉を指す。ｙとＭとは知られているので、複素無線チャンネル・インパルス応答ｈは、特定の確率で推定することができる。無線チャンネル推定値Ｈは、受信信号ｙと、所定のデータＭと無線チャンネル推定値Ｈとの積との間の誤差を最小にすることにより、形成することができる。そのようにして形成された無線チャンネル推定値Ｈ、即ち、遅延プロフィールは、時間的チャンネル・データであり、これは、実際の無線システムの伝送から情報を集めることにより、得ることができる。無線チャンネル推定値Ｈの各エレメントＨ１，・・・，Ｈｎは、特定の遅延でのタップである。それぞれ遅延プロフィールは、短い時間にわたって測定された無線チャンネルを表す。典型的には、遅延プロフィールのために必要な時間は、光の速度での搬送波周波数の約４０波長に対応し得る。しかし、遅延プロフィールが平均または積分される時間は、例えば１から１０００の波長までのように、異なり得る。プレイバック・シミュレーションで用いられる実際のインパルス応答は、平均化によりフィルタリングすることもしないこともできる。平均化の時間が短すぎると、ゴースト・タップ、即ち、ノイズであるタップが生じる非常時となり、平均化の時間が長すぎると、無線チャンネルが平滑になり過ぎ、従って、無線チャンネルの重要なフェージングおよび他の突然の変化を観察できなくなり得る。例えば、長い遅延を伴う強いタップは、瞬間的に現れ得る。タップの期間が特定の時間間隔、例えば、ＬＴＥのサイクリック・プレフィックスなどよりも長い場合、基地局とモバイル電話機との間の接続は切断され得る。そのような状況は、フィルタリングされず記録されてエミュレーションの間に繰り返せることが、望ましい。
【００４１】
[0055]  ６つのクラスター３００、３０２、３０４、３０６、３０８、３１０のＰＤＰ（パワー遅延プロフィール）が図３に示されている。
【００４２】
[0056]  処理ユニット２０２はまた、伝送の受信方向に基づいて遅延プロフィールのタップに関して方向を推定し、各タップを受信方向のデータと関連付けて方向性（指向性）遅延プロフィールを提供し、これは、それらが方向情報を含むことを暗示する。形成された無線チャンネル・データは、メモリ２０４に格納することができる。
【００４３】
[0057]  ８つの方向からの、方向の異なる遅延プロフィール４００〜４１４が図４に示されている。方向性遅延プロフィール４００〜４１４のそれぞれは、受信機１１２の１つの指向性アンテナにより受信されている。６つのクラスター３００〜３１０があり、これらは図３のものと同じである。この例では、異なるクラスターは異なる遅延を有する。一般に、異なるクラスターは同じ遅延も有し得る。
【００４４】
[0058]  実施形態では、処理ユニット２０２は、無線チャンネル・モデルを形成することにより、タップと受信方向のデータとの関連付けを行うことができ、この無線チャンネル・モデルの形成では、試験ゾーンの周りのＯＴＡアンテナ９０２〜９１６の構成が知られている場合には、無線チャンネル・データがオーバー・ジ・エアー・チャンバーのアンテナへマップされるようにする。しかし、このマッピングは、処理ユニット２０２で行わず、エミュレーションと関連してエミュレーター９１８で行うことができる。
【００４５】
[0059]  図５Ａは、受信機１１２の実施形態を示す。受信機１１２は、複数の指向性スキャナー・アンテナ５００、５０２、５０４、５０６を含むことができ、これらは受信機１１２のアンテナ１１６〜１２２に対応する。指向性スキャナー・アンテナ５００〜５０６の方向的な分配は、オーバー・ジ・エアー・チャンバーのアンテナの方向的な分配と類似にすることができる。指向性スキャナー・アンテナ５００〜５０６の角度分布は、オーバー・ジ・エアー・チャンバーのアンテナの角度分布と似たものとすることができる。指向性スキャナー・アンテナ５００〜５０６の空間分布は、オーバー・ジ・エアー・チャンバーのアンテナの空間分布と似たものにすることができる。ＯＴＡチャンバーのアンテナ９０２〜９１６は、試験ゾーン９２０の周りに円状に配されると仮定する。次に、スキャナー・アンテナ５００〜５０６は、同様に、共通の中心の周りに円状に配することができる。この仮定に従うと、スキャナー・アンテナ５００〜５０６の数と、オーバー・ジ・エアー・チャンバーのアンテナの数とは、同じにすることができる。
【００４６】
[0060]  スキャナー・アンテナ５００〜５０６のビーム幅は、オーバー・ジ・エアー・チャンバーの２つの連続するアンテナの間の角度Δθと類似または同一にすることができる。
【００４７】
[0061]  スキャナー・アンテナ５００〜５０６の角ビーム幅は、オーバー・ジ・エアー・チャンバーのアンテナの角ビーム幅と類似または同一にすることができる。この推定に従うと、スキャナー・アンテナ１１６〜１２２の偏波もまた、ＯＴＡアンテナ９０２〜９１６の偏波と等しい。しかし、スキャナー・アンテナ５００〜５０６の方向は外向きであり、ＯＴＡアンテナ９０２〜９１６の方向は試験ゾーン９２０へ向いた内向きである。処理ユニット２０２は、スキャナー・アンテナと関連するそれぞれの遅延プロフィールを、対応するオーバー・ジ・エアー・アンテナ９０２〜９１６へ割り当てることにより、無線チャンネル・データをＯＴＡアンテナにマップすることができる。
【００４８】
[0062]  そのような場合、方向性遅延プロフィール４００〜４１４を、ＯＴＡアンテナ９０２〜９１６へマップすることができ、それにより、遅延プロフィール４００がＯＴＡアンテナ９０２と関連付けされ、遅延プロフィール４０２がＯＴＡアンテナ９０４と関連付けされ、遅延プロフィール４０４がＯＴＡアンテナ９０６と関連付けされ、遅延プロフィール４０６がＯＴＡアンテナ９０８と関連付けされ、遅延プロフィール４０８がＯＴＡアンテナ９１０と関連付けされ、遅延プロフィール４１０がＯＴＡアンテナ９１２と関連付けされ、遅延プロフィール４１２がＯＴＡアンテナ９１４と関連付けされ、遅延プロフィール４１４がＯＴＡアンテナ９１６と関連付けされるようにする。
【００４９】
[0063]  実施形態では、受信機１１２は、指向性スキャナー・アンテナ５００〜５０６を含み、その数はＯＴＡアンテナ９０２〜９１６の数よりも多い。次に、処理ユニット２０２またはエミュレーター９１８は無線チャンネル・モデルを形成することができ、無線チャンネル・モデルでは、ＯＴＡアンテナの方向性遅延プロフィールが、それぞれの瞬間での連続するスキャナー・アンテナ５００〜５０６の少なくとも２つの方向性遅延プロフィールの組み合わせに基づくようにする。
【００５０】
[0064]  実施形態では、受信機１１２は、指向性スキャナー・アンテナを含み、その数はＯＴＡアンテナの数よりも少ない。処理ユニット２０２またはエミュレーター９１８は、スキャナー・アンテナの少なくとも１つの方向性遅延プロフィールを、少なくとも２つの遅延プロフィールへと分割することができ、少なくとも２つの遅延プロフィールのそれぞれは、オーバー・ジ・エアー・チャンバーのアンテナに対するものである。
【００５１】
[0065]  図５Ｂに示す実施形態では、１つのアンテナ２５２を全方向性エレメントとすることができる。全方向性アンテナ２５２は、垂直および／または水平の偏波を用いることができる。しかし、偏波は、この例では、無視することができる。別のアンテナ構造は、アンテナ５００〜５０６のアレイおよび高速電子スイッチ２５０とすることができる。アレイのアンテナ５００〜５０６は、例えば、指向性パッチ・アンテナとすることができる。図５Ｂでは異なって示しているが、アンテナ５００〜５０６は、例えば、０°、４５°、９０°、１３５°、１８０°、２２５°、２７０°、および３１５°に向けることができる。スイッチ２５０は、それぞれのアンテナ５００〜５０６を、一度に、受信機の他の部分２００〜２０４と接触するように、切り替えることができる。例えば、切り替えレートは、定数で一定にすることができ、切り替えは、時計回りにアンテナからアンテナへと進むようにできる。受信信号は、測定することができ、それにより得られたデータは、切り替えパターンと同期して記録することができる。全方向性アンテナ２５２は、ＯＴＡチャンバーにおけるプレイバックのために、測定されたインパルス応答に基づいて、チャンネル・データを集めることができる。全方向性アンテナ２５２は、全てのアジマス方向（全ての平面角）から、または全ての球形方向（全ての立体角）から、信号を受信することができる。遅延タップは、このデータから識別することができる。次に、全方向性アンテナ２５２から生じる遅延タップは、切り替えされる指向性アンテナ５００〜５０６から生じる遅延タップと、比較することができる。２つの指向性アンテナのデータにおいて１つのタップが観察される場合、ＡｏＡ（到着角）としてのその受信角と角度広がりとは、２つの指向性アンテナのそれぞれにおけるタップのパワー・レベルにより概算することができる。パワーを形成するためには、高速のフェージングを平滑にするための時間にわたっての平均化を必要とし得る。最後に、概算されたＡｏＡと角度広がりとは、全方向性アンテナ２５２を用いて記録されたチャンネル・インパルス応答のタップを、ＯＴＡアンテナへマップするために、適用することができる。この実施形態は、幾つかの点で、図６に記載された実施形態と似ている。しかし、同時に受信した信号がここでは時間的に連続する信号に置換されるところが、異なる。時間サンプリング・レートと切り替えレートとは、フェージング・プロセスの十分なサンプルを得るために、適切である必要がある。アンテナの数は、直交する偏波の双方を受信するために、複製して構成することができる。この場合、双方の偏波は、ＭＩＭＯ  ＯＴＡエミュレーションのために別個に捕獲して処理することができる。
【００５２】
[0066]  図６は、受信機１１２が少なくとも１つの全方向性スキャナー・アンテナ６００と少なくとも２つの指向性スキャナー・アンテナ６０２、６０４とを含む実施形態を示し、アンテナ６００、６０２、６０４は受信機１１２のアンテナ１１６〜１２２に対応する。
【００５３】
[0067]  要するに、１つのスキャナー・アンテナ６００を、プレイバック・エミュレーションのための実際のチャンネル・データを記録するために、用いることができる。スキャナー・アンテナ６００は、全てのアジマス方向からの送信を受信するように構成される。他のアンテナ６０２、６０４は、マルチパス成分の到着角および／または角度広がりを決定するために用いることができる。
【００５４】
[0068]  更に詳細には、処理ユニット２０２は、少なくとも１つの全方向性アンテナ６００が受信したデータと、対応する所定のデータとの比較に基づいて、遅延プロフィールのタップを形成することにより、時間的無線チャンネル・データを形成することができる。処理ユニット２０２はまた、少なくとも１つの指向性アンテナ６０２、６０４が受信したデータと、対応する所定のデータとの比較に基づいて、遅延プロフィールのタップを形成することにより、それぞれの指向性アンテナ６０２、６０４の時間的無線チャンネル・データを形成することができる。この比較は、相関を用いて行うことができる。次に、処理ユニット２０２は、全方向性アンテナ６００の遅延プロフィールと、指向性アンテナ６０２、６０４の遅延プロフィールとの比較に基づいて、全方向性アンテナ６００の遅延プロフィールのタップに関して方向を概算することができる。無線チャンネル・データは、全方向性の遅延プロフィールのタップを、遅延プロフィールの比較により得た方向と関連付けすることにより、形成することができる。
【００５５】
[0069]  図７は、受信機１１２が２つの全方向性スキャナー・アンテナ７００、７０２を含む実施形態を示し、２つの全方向性スキャナー・アンテナ７００、７０２の間の距離は知られている。アンテナ７００、７０２は、受信機１１２のアンテナ１１６〜１２２に対応する。一般に、全方向性スキャナー・アンテナ７００、７０２の数は、２より多くすることができる。処理ユニット２０２は、全方向性アンテナが受信したデータと、対応する所定のデータとの比較に基づいて、遅延プロフィールのタップを形成することにより、時間的無線チャンネル・データを形成することができる。処理ユニット２０２は、受信した伝送の少なくとも１つのドップラー・シフトを測定することができる。ドップラー・シフトは、受信機１１２が、クラスター又は送信機へ近づいているか、またはクラスター又は送信機から離れるように移動しているかを、決定する。クラスターおよび送信機は移動していないと想定するか、またはそれらは受信機１１２と相対してゆっくりと移動すると想定する。次に、ドップラー・シフトに基づいて、受信機１１２とクラスター又は送信機とが互いに近づいていると判定された場合、それは、クラスター又は送信機は先行している、即ち、受信機１１２の前にあることを意味する。対応して、クラスター又は送信機は受信機１１２の後ろにあると判定することができる。受信機１１２の速度が測定されるか又は知られている場合、より詳細な受信角を決定することができる。受信角αは、以下の様式、例えば、ｓｉｎ（α）＝ｖＤ／ｖで、ドップラー・シフトに基づいて概算した速度ｖＤを、受信機１１２の実際の速度ｖで除算することにより、決定することができる。しかし、伝送が受信機１１２の右側から来たものか又は左側から来たものかを、知ることはできない。
【００５６】
[0070]  実施形態では、処理ユニット２０２は、全方向性アンテナ７００、７０２間での受信した伝送の少なくとも１つの位相シフトを、スキャナー・アンテナ７００、７０２間の距離に基づいて、測定することができる。全方向性アンテナ７００、７０２の距離は、搬送波の波長より短くすること、または搬送波の波長の半分（λ／２）より短くすることができる。全方向性アンテナ７００、７０２の距離と受信角αとが知られているので、異なるアンテナ７００、７０２における伝送の少なくとも１つの位相シフトを概算することができる。ここで、伝送が受信機１１２の右側から来るときには、伝送の位相シフトは正であると想定する。次に、ドップラー・シフトに基づく同じ受信角αを有するが左側から来る伝送は、絶対位相シフトは同じであるが、その値は負である。従って、ドップラー・シフト（１以上）と位相シフト（１以上）との双方を測定することにより、平面幾何学的構成において受信方向を決定することか可能である。
【００５７】
[0071]  処理ユニット２０２は、少なくとも１つの測定されたドップラー・シフトと少なくとも１つの測定された位相シフトとに基づいて、受信方向を概算することができる。形成された無線チャンネル・データは、メモリ２０４に格納することができる。
【００５８】
[0072]  ＭＩＭＯ  ＯＴＡセットアップのためのフェード前信号合成方法（pre-faded signals synthesis method）は、時間的に独立したフェージング・チャンネル係数シーケンス（temporally independent fading channel coefficient sequences）、即ち、各ＯＴＡアンテナ９０２〜９１６に対する遅延プロフィールを、必要とする。遅延プロフィールのシーケンスを、複数のスキャナー・アンテナ１１６〜１２２からＯＴＡアンテナ９０２〜９１６へ直接にマップできる場合、それは問題ではない。図６および図７の受信機アンテナ６００、６０２、６０４および７００、７０２の数が、ＯＴＡアンテナ９０２〜９１６の数とは異なる場合、測定されたフェージング・シーケンスに基づいて、余分にフェージング・シーケンスを合成的に作成する必要がある。元の測定されたフェージング・シーケンスは、割り当てされた最高のパワーを用いてＯＴＡアンテナへマップすることができる。他のＯＴＡアンテナは、合成のシーケンスを用いることができる。しかし、図６に示す場合では、少なくともＯＴＡアンテナのサブセットに対して、指向性アンテナで測定したフェージング・シーケンスを用いることができる。合成のフェージング・シーケンスの作成は、例えば、下記の方法の一方または双方を用いて行うことができる。
【００５９】
[0073]  １）  測定されたフェージング・シーケンスの、振幅の分布のような統計、ドップラー・スペクトル、およびレベル・クロッシング・レート（level crossing rate）を、各タップ（および各基地局アンテナ）に対して概算することができる。新たな合成のフェージング・シーケンスは、概算された統計から、ノイズ・フィルタリングやシヌソイドの和（sum-of-sinusoids）などのような何らかの既知の手順を用いて、作成することができる。この方法は、受信機１１２において少なくとも１つの全方向性アンテナが用いられるという図６および図７に示すケースに対して、適用できる。
【００６０】
[0074]  ２）  全方向性アンテナのみが受信機で用いられる図７に示すケースに関して、合成のフェージング・シーケンスは、測定されたフェージングのドップラー・スペクトルの分解（decomposition）に基づいて、作成することができる。最初に、各タップに対してドップラー・スペクトルが概算され、次に、各スペクトル成分の到着角が概算される。最後に、標準的なＭＩＭＯ  ＯＴＡマッピング・プロシージャーを用いて、複数の異なるスペクトル成分が、複数の異なるＯＴＡアンテナへ割り当てられる。換言すると、Ｈ（ｔ）は、１つのタップに対しての測定されたフェージング・シーケンスである。Ｈ（ｖ）は、Ｈ（ｔ）のフーリエ変換である。｜Ｈ（ｖ）｜２は、ドップラー・パワー・スペクトルである。各ＯＴＡアンテナｋに関して、ドップラー・シフトｖのサブセットｖ∈Ｖｋを、選択することができる。最後に、ＯＴＡアンテナｋに関する新たなフェージング・シーケンスはｈｋ（ｔ）とすることができ、これは、Ｈ（ｖ）の逆フーリエ変換により決定することができ、ここではｖ∈Ｖｋである。
【００６１】
[0075]  実施形態では、処理ユニット２０２またはエミュレーター９１８は、チャンネル・データのノイズ低減を行うことができる。ノイズ低減は、適切なフィルタリングにより行うことができる。例えば、ノイズ低減は、測定されたチャンネル・データに対して所定のノイズ・レベルを設定し、所定のノイズ・レベルより低いパワーを有するチャンネル・データの各タップを除去することにより、行うことができる。ノイズ・レベルは、タップの無いところの遅延から概算することができる。別の実施形態に従うと、サンプリング・レートが、チャンネル・データのナイキスト基準より高い場合、ノイズ低減は、所定の時間にわたってのチャンネル・データのサンプルを平均化することにより、行うことができる。ナイキスト基準は、一般に、何れのアナログ信号でも、そのアナログ信号の最大周波数の２倍を超えるレートでサンプリングされたアナログ信号は、サンプルから再現され得る、ということを決定する。実際には、無線チャンネルのコヒーレンス時間は概算することができ、チャンネルの概算は、コヒーレンス時間に関して適合させられるウィーナー・フィルターを用いて、フィルタリングすることができる。
【００６２】
[0076]  実施形態では、処理ユニット２０２またはエミュレーター９１８は、サンプル密度を、無線チャンネル・エミュレーションで用いるサンプル密度に適合させるために、チャンネル・データの時間領域再サンプリングを行うことができる。再サンプリングは、サンプルの数を増加させる補間を含むことができる。補間では、既存のサンプルのペアの間の既存のサンプルに基づいて、少なくとも１つの新たなサンプルが形成される。
【００６３】
[0077]  データ点の数は、低減することもできる。サンプルのシーケンスは、デシメーションするか、パンクさせるか、または所定の演算を用いて少なくとも２つのサンプルを組み合わせて新たなサンプルにすることができる。実際には、チャンネル・データは、サンプリング・レートが明らかに高すぎる場合には適切なローパス・フィルターを用いてフィルタリングし、次に、ナイキスト基準に関して過剰なサンプルを、除去することができる。既に上述したように信号処理はノイズを低減する。
【００６４】
[0078]  実施形態では、偏波を考慮することができる。図８は、２つの直交する偏波に対する受信機アンテナ８０２、８０４を示す。直交する偏波の成分８０６、８０８（例えば、垂直Ｖおよび水平Ｈ）は、例えば、同じ所に配され直交して分極された２つのアンテナにより、独立して受信することができる。直交する偏波は、２つの独立た信号のように分離して処理することができる。対応して、直交して分極された信号は、エミュレーションの間に、分極されたＯＴＡアンテナ９００〜９１６を用いてＤＵＴ９００へ送ることができる。
【００６５】
[0079]  先に示したように、ナイキスト基準より高いサンプリング・レートを用いてネットワークから無線チャンネルの概算値を生成および記録できるスキャナーを用いて、プレイバック無線チャンネル・データを集めることができる。スキャナーは、複数のアンテナを用いるおそらくは複数の基地局（ＢＳ）のダウンリンク（ＤＬ）信号を処理し、チャンネル概算値を記録する。
【００６６】
[0080]  図９は、ＯＴＡ試験チャンバーを示し、実際の無線チャンネルの集められたデータをエミュレーションで用いることができる。ＯＴＡアンテナ９０２、９０４、９０６、９０８、９１０、９１２、９１４、および９１６は、ＤＵＴ９００を配置できる試験ゾーン９２０の周りにある。アンテナ９０２〜９１６の十字形状は、偏波の影響をエミュレーションする場合の、分極した伝送のための直交して分極したアンテナを示す。アンテナ９０２〜９１６は、均一の間隔（例えば、８つのアンテナで４５°）を有することができる。Ｋ個のＯＴＡアンテナの方向を、ｋ＝１，・・・，Ｋであるθｋで示し、角度領域におけるアンテナの間隔をΔθで示すことにする。角度Δθは、ＯＴＡチャンバーの中心に関しての２つのアンテナ９０２〜９１６の分離の測定値を表す。アンテナのそれぞれは、１つのエミュレーター出力ポートと接続される１つのアンテナを考慮した場合、エミュレーターの構成は１×８ＳＩＭＯであり、２つのアンテナでは２×８ＭＩＭＯなどとなる。
【００６７】
[0081]  ＤＵＴアンテナの特性は、未知であると仮定する。換言すると、この情報は、ＯＴＡのモデル化で用いる必要がない。
【００６８】
[0082]  試験チャンバーは無エコー室とすることができる。加入者端末などのようなＤＵＴ９００は、アンテナ９０２、９０４、９０６、９０８、９１０、９１２、９１４、および９１６により囲むことができ、これらはエミュレーター９１８と接続され、これは、例えば、ＥＢ（Ｅｌｅｋｔｒｏｂｉｔ）Ｐｒｏｐｓｉｍ（登録商標）Ｆ８とすることができる。エミュレーター９１８は、プロセッサー、メモリ、および適切なコンピューター・プログラムを含むことができる。エミュレーションの少なくとも１つの送信機９３０が、望まれる無線チャンネルを通じてＤＵＴ９００へ送信を行うことができる。
【００６９】
[0083]  この例では、８つのアンテナがあり、４５°という一定の角度で円形に分散されている。一般には、少なくとも２つのアンテナ９０２〜９１６があり、それらは、互いに、分離角Δθだけ分離されている。少なくとも３つのアンテナ９０２〜９１６がある場合、分離角Δθは、何れの２つの連続するアンテナ９０２〜９１６に関しても、同じに又は異なるようにすることができる。アンテナ９０２〜９１６は、ＤＵＴ９００から同じ又は異なる距離にすることができ、アンテナ９０２〜９１６は、全角度または全立体角に配するのではなく、１つのセクターのみに配することができる。ＤＵＴ９００はまた、１以上のアンテナを有することができる。
【００７０】
[0084]  オーバー・ジ・エアーでのＤＵＴ９００との通信は、アンテナの設計、偏波、配置の効果を、試験において経路方向を自由に含められ得る様式で、テストすることを可能にする。これは、エミュレーター９１８とＤＵＴ９００との間でケーブル接続を用いた場合には、可能ではない。
【００７１】
[0085]  エミュレーター９１８は、試験のための無線チャンネル・モデルを受け取る。チャンネル・モデルは、試験を成し遂げる人により選択することができる。更に、干渉およびノイズを、望まれる様式で且つ望まれる範囲で、試験に入れることができる。用いられるチャンネル・モデルは、実際の無線システムからの記録されたチャンネルに基づくプレイバック・モデルとすることができる。しかし、無線チャンネル・モデルの一部は、人工的に作成したものとすることができ、従って、無線チャンネル・モデルは、プレイバック・モデルと人工作成モデルとの組み合わせとすることができる。
【００７２】
[0086]  ＯＴＡ環境のモデル化は従来のエミュレーションとは異なり、様々なＭＩＭＯチャンネルのインパルス応答が、等しいパワー遅延プロフィールとタップの数とを有する。ＯＴＡのモデル化では、ＰＤＰの様々なタップを、所定データの受信角に応じて、同じＯＴＡアンテナまたは異なるＯＴＡアンテナへ供給することができる。従って、様々なＯＴＡアンテナに対してのタップの数は、同じに又は異なるようになり得る。これは、図４が、様々なＯＴＡアンテナ９０２〜９１６（番号４００〜４１４を番号９０２〜９１６と置き換える）へ供給される方向性遅延プロフィールを示すと仮定したとき、図４で見ることができる。
【００７３】
[0087]  実施形態では、エミュレーター９１８は、方向情報と関連するタップを持つ遅延プロフィールを含む、無線システムの実際の無線チャンネルの無線チャンネル・データを受け取ることができ、方向の異なる遅延プロフィールの数は、オーバー・ジ・エアー・チャンバーのアンテナの数より小さい。次に、エミュレーター９１８は、少なくとも１つのプロフィールを少なくとも２つの遅延プロフィールへと分割することにより、オーバー・ジ・アンテナの遅延プロフィールを形成することができ、少なくとも２つの遅延プロフィールのそれぞれは、オーバー・ジ・エアー・チャンバーの異なるアンテナに対するものである。
【００７４】
[0088]  パワー遅延プロフィールの測定されたタップは、ＯＴＡアンテナ角θｋと、受信機１１２の受信方向を表す角度でありタップと関連する角度φｎとに基づいて、２つのＯＴＡアンテナ９０２〜９１６の間で分けることができる。タップと関連する角度φｎに最も近いＯＴＡアンテナｋの角度Δθｋは、下記の数式に従って見つけることができる。
【００７５】
【数１】
0006368248.tif 000002
【００７６】
ここで、ｍｉｎは、θｊの全ての値の中での式の最小値を意味し、ｉｎｔは、除算の整数値（０を含む）を意味する。ｋの値は下記のようである。
【００７７】
【数２】
0006368248.tif 000003
【００７８】
従って、第２のＯＴＡアンテナｋ＋１は、角度、θｋ＋Δθ＝θｋ＋１、を有するものである。従って、複数の選択されたＯＴＡアンテナは、複数の方向を表すものであり得、複数の方向の間で各タップの方向と関連するものであり得る。無線チャンネルは、ＤＵＴ９００と関連してのタップの方向で生成される。
【００７９】
[0089]  タップｎに対してのＯＴＡアンテナの選択は、タップと関連する角度φｎに対してのθｋの２つの最も近い値を選択することにより、行うことができる。タップｎのパワーは、θｋとφｎとの間の角距離に応じて、２つのＯＴＡアンテナの間で分けられる。例えば、タップの角度φｎが、θｋとθｋ＋１との真ん中にあるとき、パワーは、それぞれに５０％となるように分けられる。
【００８０】
[0090]  それぞれのアンテナ４０２〜４１６に対する重みｗｎ，ｋは、例えば、下記の様式で計算することができる。
【００８１】
【数３】
0006368248.tif 000004
【００８２】
ここで、ｉは、１または２であり、ｋは、タップｎの角度φｎに最も近いアンテナのインデックスである。アンテナｋに対するタップｎのパワーＰｎには重みｗｎ，ｋが乗算され、Ｐｋ＋Ｐｋ＋１＝Ｐｎとなる。タップＨのパワーは、タップＨの絶対値の自乗、即ち、｜Ｈ｜２として、表すことができる。
【００８３】
[0091]  図１０は、ＦＩＲ（有限インパルス応答）フィルターのブロック図を示し、これは、アナログ・デジタル変換器１００２、シフト・レジスターとして配置される遅延エレメント１００４、乗算器１００６、加算器１００８、およびデジタル・アナログ変換器１０１０を含むことができる。アナログ・デジタル変換器１００２は、アナログ信号を受け取る。ＦＩＲフィルターの基本的な機能は下記のようである。アナログ・デジタル変換器１００２からのデジタル入力信号ｘ（ｎ）は、各遅延エレメント１００４で遅延され、それらの遅延は、同じ又は異なる時間を有し得るものであり、遅延された信号は、乗算器１００６で、望ましいチャンネル係数Ｈ（ｉ）で乗算される。なお、ｉ＝［０，・・・，Ｎ］である。チャンネル・モデルは、チャンネル係数Ｈ＝［Ｈ（０），・・・，Ｈ（Ｎ）］により定義され、これは、遅延プロフィールのタップまたは無線チャンネルのチャンネル推定値を考慮したものとすることができる。信号成分は、加算器１００８で加算され、加算後の信号は、デジタル・アナログ変換器１０１０でアナログ形態へと変換される。従って、ＦＩＲフィルターを通る信号は、集められた無線チャンネル・データＨに基づいて形成された無線チャンネル・モデルにより定められた無線チャンネルを経験する。それぞれのＯＴＡアンテナ９０２〜９１６は、その信号を、少なくとも１つのＦＩＲフィルターから受け取ることができる。エミュレーションの各送信機は、その信号を、ＦＩＲフィルターを通して渡すことができる。
【００８４】
[0092]  上記および図１〜１０で示したものは、２次元の信号の収集およびその使用を言及する。図５Ａおよび図５Ｂと関連して、無線チャンネル・データを３次元的に集めるためのライブのネットワークのスキャニングは、幾分多くの数の測定ハードウェアを必要とする。しかし、実施形態では、パワー角度分布についてのデータは、簡単な様式で３次元（３Ｄ）で集めることができ、集めたデータは、エミュレーションにおいて２次元または３次元で用いることができる。
【００８５】
[0093]  図１の参照番号１１２の受信機のような受信機は、無線システムのライブのネットワークから、スキャナー・アンテナ１１６〜１２２を用いて３次元データを集めることができる。スキャニングからエミュレーションまでのプロシージャーは、２次元の実施形態のものと類似である。最初に、適切なアンテナを持つ受信機であるスキャナーは、ライブのネットワークの測定を行い、そのチャンネル推定値を記録する。次に、後処理を行うことができ、チャンネル・データはＯＴＡアンテナへマップされる。後処理は、記録されたチャンネル推定値のノイズ低減、タップの指向性および偏波の概算を含む。マッピングは、それぞれの遅延ビン（タップ）に対して個別に行うことができ、これは、既存のＭＩＭＯ  ＯＴＡ  ＳＷ（ソフトウェア）と似たものにすることができる。
【００８６】
[0094]  図１１は、スキャニング受信機１１２のための更に詳細なアンテナ構成の例を示す。矢印は上側（または下側）を指し、従って、アンテナ１１００および１１０２は、垂直方向の区別を可能にするために、アンテナ１１０４より高い（または低い）ものであり得る。アンテナ間の距離は、０λから０．５λまでの様々なものとすることができ、λは搬送波の波長である。例えば、全方向性アンテナ１１００〜１１０４は、スリーブ・ダイポールとすることができ、全方向性アンテナ１１０６〜１１１０は、磁気ダイポールとすることができる。
【００８７】
[0095]  アンテナ１１００〜１１０４は、受信方向を３次元的に分離するために、１つの２次元領域を占有する様式で配されている。即ち、アンテナは、１次元である行や線に配されていない。対応して、アンテナ１１０６〜１１１０は、１つの２次元領域を占有する様式で配されている。次に、少なくとも２つのアンテナは、常に横に並んでおり、少なくとも２つのアンテナは、一方が他方の上にあり、水平方向と垂直方向との双方の角度分解能を有するようにされる。アンテナ１１００〜１１０４（および１１０６〜１１１０）の２次元領域は、同じ方向で、スキャニング受信機１１２の動きの２次元領域と面する。信号の遅延は、第３の次元が責任を負う。
【００８８】
[0096]  数学的ＰＡＳ概算における下記で用いるアジマス角の座標系は、図１２に示されている。信号が左から直接に来るとき、そのＡｏＡ（到着角）は０°である。信号が右から来るとき、そのＡｏＡは１８０°（−１８０°）である。信号が上から来るとき、そのＡｏＡは９０°である。信号が下から来るとき、そのＡｏＡは−９０°である。
【００８９】
[0097]  各アンテナ１１００、１１０２、１１０４、１１０６、１１０８、および１１１０は、それ自体のミキサー２００を含む受信機チェーンを有することができ、アンテナとその受信機チェーンとの組み合わせは、スキャナーと考えることができる。しかし、アンテナ１１００、１１０２、１１０４、１１０６、１１０８、および１１１０とスキャナーとを共にして受信機と考えることができる。
【００９０】
[0098]  受信機により受信された信号は、正確に位相が同期している必要がある。実施形態では、位相同期は、アンテナ１１００、１１０２、１１０４、１１０６、１１０８、および１１１０の互いの距離が変化しない、というこれらのアンテナの静的アンテナ構造と、電子回路での静的遅延とにより維持することができる。実施形態では、位相同期は、試験信号を用いてアンテナ・アレイおよび受信機チェーンが実現された後に検査することができる。その後、位相同期は、変化していないと仮定することができる。
【００９１】
[0099]  実施形態では、位相同期は、既知の基地局アンテナ・アレイ校正と類似の連続的同期測定により、維持することができる。校正アンテナ１１５０は、スキャナー・アンテナ１１００、１１０２、１１０４、１１０６、１１０８、および１１１０の近くに、スキャナー・アンテナに対しての既知の距離／位相差をもって、配することができる。既知の距離／位相差は、校正アンテナ１１５０の適切なアンテナ構造および／または遅延により、実現することができる。校正アンテナ１１５０の遅延は、適切な長さの遅延ケーブルなどに基づくことができる。予め記録された校正信号（例えば通信テスターで作成される基地局ダウンリンク信号）は、校正アンテナ１１５０から、セルラー・ネットワークの現場測定と同時に送ることができる。後処理では、受信したスキャナー信号間での位相差は、概算し、記録された校正信号に基づいて補償することができる。
【００９２】
[0100]  処理ユニット１２２は、測定データから３Ｄ  ＰＡＳを概算し、ＯＴＡ無線チャンネル・エミュレーションのためのフェージング係数を生成することができる。
【００９３】
[0101]  このように、位相の正確なスキャナーの構成に基づいて、３Ｄの特性および偏波測定的な特性を、少数のアンテナで抽出することができる。少数のアンテナとは、例えば、６個である。対応して、６個のスキャナーがあると十分である。
【００９４】
[0102]  無線チャンネルの３Ｄデータの形成の背後にある数学を考察する。簡単にするために、ここでは、垂直方向に分極した全方向性アンテナに対してのみ、ＰＡＳ概算方法を説明する。水平方向の分極スキャナー・アンテナに関しても手順は等しい。開始点は、スキャナーからの時間変動チャンネル・インパルス応答データｈｍ（ｔ，τ）であり、ここで、ｍ＝ｖ１，ｖ２，ｖ３は、スキャナー・アンテナに対するインデックスであり、τは、過剰な遅延であり、ｔ＝ｎＴｓは、例えば、波長あたり４サンプルのサンプリング・レートＴｓを持つ離散時間である。（同じ手順を、チャンネルの周波数領域の表現にも適用することができる。）ドップラー変動インパルス応答は、下記のように、それぞれの遅延ビンに対して個別に離散フーリエ変換で、インパルス応答のシーケンスから計算することができる。
【００９５】
【数４】
0006368248.tif 000005
【００９６】
ここで、ｆは、ｆｓ＝１／Ｔｓである［−ｆｓ／２，ｆｓ／２］の範囲内のドップラー周波数であり、Ｎは、時間サンプルの数である。
【００９７】
[0103]  ドップラー・パワー・スペクトルの例は図１３で提供されており、図では、水平軸はドップラー・シフト［ｆ／ｆｍａｘ］を示し、垂直軸はスペクトルの大きさをｄＢで示す。セグメントは、正確なドップラー変動インパルス応答を概算するために、十分に長くするべきであり、他方、セグメントは、セグメントの期間内は伝播パラメーター（遅延、ドップラーなど）を不変で維持するために、十分に短くすべきである、という２つの相反する目標に基づいて、セグメント長Ｎを決める必要がある。サンプルの数Ｎは、１０λから１００λにわたる信号をカバーすることができる。実施形態では、数Ｎは、２０λから４０λの信号をカバーすることができる。
【００９８】
[0104]  以下では、過剰な遅延の独立変数（argument）τは、簡略化するために無視される。以下の手順は、それぞれの識別された遅延タップに対して独立して反復することができる。次のステップは、下記のように設定することにより、ドップラー変動インパルス応答からノイズをカットするものである。
Ｓｍ（ｆ）＝０，  ｜ｆ｜＞ｆｍａｘのとき      （５）
ここで、最大ドップラー・シフトｆｍａｘは、グローバル・サテライト・システム座標情報に基づいて、またはドップラー・パワー・スペクトルを検査することにより、計算することができる。静止した環境と仮定すると、最大ドップラー・シフトは、速度を、搬送波中心周波数の波長により除算することにより、形成することができる。次に、正規化したドップラー・パワー・スペクトルを、ユニティーの最大（maximum of unity）を用いて形成することができる。
【００９９】
【数５】
0006368248.tif 000006
【０１００】
[0105]  マルチパス成分の方向は、経路のドップラー・シフトと、スキャナー・アンテナ１１００、１１０２、１１０４、１１０６、１１０８、および１１１０の間の経路の位相差とに基づいて、概算することができる。ドップラー・シフトは、「左／右」は曖昧であるが経路ｋのＡｏＡを明らかにする。静的な環境を仮定した場合、経路ｋのドップラー・シフト（即ち、第ｋのドップラー周波数ビン）は、下記のように書くことができる。
ｆｋ＝ｆｍａｘcos（φｋ−θｖ）      （７）
[0106]  θｖ＝０を維持した（即ち、速度が常に、図１１のように、アンテナ・アレイの広い側の方向へ向く）場合、ＡｏＡの予備的な範囲情報を得ることができる。
【０１０１】
【数６】
0006368248.tif 000007
【０１０２】
[0107]  スキャナー・アンテナ１１００と１１０２との間の第ｋのドップラー成分の位相差を、示すことができる（図１１のアンテナの命名を参照されたい）。
Δ１２（ｋ）＝フェーズ（Ｓｖ１（ｆｋ））−フェーズ（Ｓｖ２（ｆｋ））    （９）
スキャナー・アンテナ１１００と１１０４との間は
Δ１３（ｋ）＝フェーズ（Ｓｖ１（ｆｋ））−フェーズ（Ｓｖ３（ｆｋ））    （１０）
[0108]  位相差の単位はラジアンである。全ての位相差は［−２πＤ，２πＤ］範囲内にあるべきであり、ここでＤは、波長でのアンテナ間隔である。位相差がその範囲外である場合、それはその範囲へと限定（飽和）される。
【０１０３】
[0109]  ここで、第ｋのドップラー周波数ビンの高度到着角（elevation arrival angle）ＥｏＡ  γｋは、Δ１３（ｋ）から下記のように概算することができる。
γｋ＝arcsin（Δ１３（ｋ）／２πＤ）      （１１）
[0110]  第ｋのドップラー周波数ビンの予備的アジマス到着角ＡｏＡ  φｋ’は、Δ１２（ｋ）およびＥｏＡから下記のように概算することができる。
φｋ’＝arcsin（Δ１２（ｋ）／２πＤcosγｋ）      （１２）
[0111]  この時点で、予備的アジマス到着角ＡｏＡ  φｋ’は、範囲［−πＤ，πＤ］を有し、「前／後」は曖昧である。明確なＡｏＡ概算値を得るために、式（８）からの予備的情報を適用することができる。最終的なＡｏＡは下記のようである。
【０１０４】
【数７】
0006368248.tif 000008
【０１０５】
[0112]  最終ステップとして、アジマス次元および高度（elevation）次元におけるＶ偏波に対しての角度パワー密度関数（angular power density function）（ＰＡＳ）を、アンテナｖ１のドップラー・パワー・スペクトルからのパワー値をＡｏＡとＥｏＡとへマッピングすることにより、得ることができる。
【０１０６】
【数８】
0006368248.tif 000009
【０１０７】
【数９】
0006368248.tif 000010
【０１０８】
[0113]  ここでＯＴＡモデル化を考察する。時間変動伝播パラメーターの組は、スキャナー測定から抽出することができる。第１に、パワー遅延プロフィールを、速いフェージングを平均化することにより、スキャナー出力インパルス応答に基づいて、またはスキャナーにより、概算することができる。この平均化は、例えば、数十の波長の進む距離の持続期間にわたって、自乗した大きさ｜Ｈ（ｔ，τ）｜２のスライドする平均を取ることにより、行うことができる。第２に、ＰＡＳは、上述の様式で概算することができる。概算されたＰＡＳから、ノミナルのＡｏＡと、各遅延タップに関する高度とアジマスとの双方の二乗平均平方根の角度広がりとを、計算することができる。クラスター毎のラプラシアン形状のＰＡＳを概算することができる。第３に、偏波パワー比率を、ＰＶ，ａｚ（φ）とＰＨ，ａｚ（φ）の和の比率として得ることができる。第４に、速度は、グローバル・サテライト・システムから抽出することができる。速度とＰＡＳとがわかると、ドップラー・モデル化は、幾何学的モデル化原理（ＧＣＭ）を用いて行うことができる。
【０１０９】
[0114]  上記の情報の全てが使用可能になると、ＭＩＭＯ  ＯＴＡに関するフェード前合成の標準的手順（例えば、ＥＢ  ＭＩＭＯ  ＯＴＡ  ツールでインプリメントされる）を適用することができる。出力は、チャンネル係数と、更に、例えばＥＢ  Ｐｒｏｐｓｉｍフェージング・エミュレーターなどのようなエミュレーターに対するチャンネル・エミュレーション・ファイルの組とであり得る。幾何学的原理を用いてのＭＩＭＯ  ＯＴＡに対するチャンネル・モデル化は、ＩＪＡＰ  ２０１２の、P. Kyosti、T. jamsa、J-P Nuutinenによる「Channel modeling for multiprobe Over-The Air MINO testing」に記載されている。
【０１１０】
[0115]  上記の３Ｄの解決法は利点を有する。第１に、この種のシステムは、図５Ａおよび図５Ｂと関連して説明した３Ｄバージョンのものと比較して、スキャナーの数が低減され、且つ結果は更に正確である。例えば、８個の２偏波（dual polarized）アンテナ・エレメントの３個のリング（３×８×２＝４８）は、３個の２偏波（３×２＝６）アンテナ・エレメントと置き換えることができる。従って、スキャナーのハードウェアにおける節約は、４８から６、即ち、８倍である。第２に、理想的なケースでは、ＰＡＳ概算は高精度である。図５Ａおよび図５Ｂと関連して説明した３Ｄバージョンのものでは、精度は、指向性スキャナー・アンテナのビーム幅に限定される。
【０１１１】
[0116]  図１４は、ＯＴＡアンテナ９０２〜９１６および／または受信機１１２のアンテナ１１６〜１２２（矩形）の立体幾何学的構成を示す。この例では、アンテナ（矩形）は、球の面に配されている（配されているかのようである）。ＯＴＡチャンバーでは、ＤＵＴ１４００は、球の中央に配することができる。しかし、アンテナが配される（配されるかのような）面は、体積を囲む何れかの面の一部とすることができる。そのような面の例は、立方体、楕円体、四面体などの面である。アンテナは、偏波アンテナまたは非偏波アンテナとすることができる。
【０１１２】
[0117]  実施形態では、平面波を、ＯＴＡアンテナ９０２〜９１６から送ることができ、それにより、試験ゾーン９２０におけるそれらの干渉が、送信される信号のためのＤＵＴ１４００と送信機との間の望まれる無線チャンネルを形成するようにする。エミュレーター９１８は、オーバー・ジ・エアー・チャンバー内の試験ゾーン９２０の周りの複数のアンテナのアンテナ９０２〜９１６と関連するそれぞれの信号経路９２２に対して重みを形成することができ、この重みは、無線チャンネル・モデルに基づく望ましい目標電界と、試験ゾーン９２０と関連する平面波により取得可能な電界との比較により形成され、平面波は、アンテナ９０２〜９１６により送信され、且つそれぞれの信号経路９２２における少なくとも１つの基底波形に基づく。この解決法は、特許出願ＰＣＴ／ＦＩ２０１１／０５０１９０に更に詳細に記載されている。
【０１１３】
[0118]  図１５は、受信機における方法のフロー・チャートを示す。ステップ１５００において、所定のデータを含むワイヤレス伝送が、受信方向の関数として、無線システムの少なくとも１つの基地局から受け取られる。ステップ１５０２において、遅延プロフィールのタップが、受け取ったデータと、対応する所定のデータとの比較に基づいて、形成される。ステップ１５０４において、遅延プロフィールのタップに関しての方向が、受信方向に基づいて概算される。ステップ１５０６において、テスト中の装置を配置可能な試験ゾーンの周りに複数のアンテナを有するオーバー・ジ・エアー・チャンバーでの多入力多出力エミュレーションにおける無線チャンネル・モデルのために、遅延プロフィールのタップを概算された方向と関連付けすることにより、無線チャンネル・データが形成される。
【０１１４】
[0119]  図１６は、エミュレーターにおける方法のフロー・チャートを示す。ステップ１６００において、方向情報と関連するタップを持つ方向性遅延プロフィールを含む、無線システムの実際の無線チャンネルの無線チャンネル・データが、受け取られる。ステップ１６０２において、無線チャンネル・データは、遅延プロフィールの方向的に異なる複数のタップを複数の異なるオーバー・ジ・エアー・アンテナへ割り当てることにより、オーバー・ジ・エアー・チャンバーのアンテナへマップされる。
【０１１５】
[0120]  例示の実施形態では、１以上のメモリが、更に、命令を格納することができ、この命令は、１以上のプロセッサーにより実行されたときに、受信機１１２に、図１５の方法のステップを行わせる。
【０１１６】
[0121]  例示の実施形態では、１以上のメモリが、更に、命令を格納することができ、この命令は、１以上のプロセッサーにより実行されたときに、エミュレーター９１８に、図１６の方法のステップを行わせる。
【０１１７】
[0122]  上記で示したように、記録された無線チャンネルは、ＥＢ（Ｅｌｅｋｔｒｏｂｉｔ）ＭＩＭＯ  ＯＴＡを適用する場合のように、無エコー性チャンバーでプレイバックすることができる。ＤＵＴ９００の性能は、それを実地試験に持って行かなくても測定することができる。試験は、反復可能であり、問題のある状況は、制御された形で識別およびテストすることができる。
【０１１８】
[0123]  実際の無線チャンネルのエミュレーションは、本出願で提供した仮想ドライブ試験（Virtual Drive Testing）（ＶＤＴ）測定に基づいて、可能である。ＶＤＴは、アンテナを持つ全端末を測定できるところで、複数アンテナ端末（ＭＩＭＯ  ＯＴＡ）のオーバー・ジ・エアー試験と組み合わされており、ワイヤレス・ネットワークにおいて特定のドライブ・ルートを模倣する環境である。
【０１１９】
[0124]  上記および添付の図面で説明したステップおよび関連する機能は、絶対的な時間的順序ではなく、幾つかのステップは、同時に行われることや、示したものとは異なる順で行われることがあり得る。    他の機能を、ステップ間やステップ内で実行することもできる。ステップの幾つかは、省くことや、対応するステップと置換することもできる。
【０１２０】
[0125]  上記のステップを行うことができる処理ユニット２０２およびエミュレーター９１８は、電子デジタル・コンピューターとして、または作業メモリ（ＲＡＭ）、中央処理装置（ＣＰＵ）、およびシステム・クロックを含み得る回路として、インプリメントすることができる。ＣＰＵは、一組のレジスター、計算論理ユニット、およびコントローラーを含むことができる。コントローラーまたは回路は、ＲＡＭからＣＰＵへ送られるプログラム命令のシーケンスにより制御される。コントローラーは、基礎的動作のための多数のマイクロ命令を含むことができる。マイクロ命令のインプリメンテーションは、ＣＰＵの設計に応じて様々であり得る。プログラム命令は、プログラミング言語によりコード化することができ、プログラミング言語は、ＣやＪａｖａなどのような高レベルのプログラミング言語、または機械語やアセンブラーなどのような低レベルのプログラミング言語であり得る。電子デジタル・コンピューターはまた、オペレーティング・システムを有することができ、これは、プログラム命令を用いて書かれたコンピューター・プログラムに対してのシステム・サービスを提供することができる。
【０１２１】
[0126]  処理ユニット２０２およびエミュレーター９１８を含む受信機１１２は回路を含み、回路は、以下の全てを指す。（ａ）アナログおよび／またはデジタルの回路のみでのインプリメンテーションなどのような、ハードウェアのみの回路のインプリメンテーション。（ｂ）回路とソフトウェア（および／またはファームウェア）の組み合わせであり、例えば（適用可能であれば）、（ｉ）プロセッサー（１以上）の組み合わせ、または（ｉｉ）装置に様々な機能を行わせるように共に働くデジタル信号プロセッサー（１以上）、ソフトウェア、およびメモリー（１以上）を含むプロセッサー（１以上）／ソフトウェアの複数部分。（ｃ）ソフトウェアやファームウェアが物理的に存在しないとしても、動作のためにソフトウェアやファームウェアを必要とするマイクロプロセッサー（１以上）またはマイクロプロセッサー（１以上）の一部などのような回路。
【０１２２】
[0127]  更なる例として、「回路」という用語は、単なるプロセッサー（または複数のプロセッサー）や、プロセッサーの一部およびその（それらの）付随するソフトウェアおよび／またはファームウェアのインプリメンテーションもカバーするであろう。
【０１２３】
[0128]  実施形態は、配布媒体で具体化されるコンピューター・プログラムを提供し、これはプログラム命令を含み、プログラム命令は、電子装置へロードされたときに、上記の実施形態を実行するようにその装置を制御するように、構成される。
【０１２４】
[0129]  コンピューター・プログラムは、ソース・コード形態、オブジェクト・コード形態、または何らかの中間形態とすることができ、或る種の担体に格納することができ、担体は、プログラムを運ぶことができる任意のエンティティやデバイスとすることができる。そのような担体は、例えば、記録媒体、コンピューター・メモリー、リード・オンリー・メモリー、およびソフトウェア配布パッケージを含む。必要な処理力に応じて、コンピューター・プログラムは、１つの電子デジタル・コンピューターで実行することや、複数のコンピューターに分散させることができる。
【０１２５】
[0130]  装置は、特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのような、１以上の集積回路としてインプリメントすることもできる。個別の論理コンポーネントで作られた回路などのような、他のハードウェアの実施形態も可能である。これら様々なインプリメンテーションのハイブリッドも可能である。インプリメンテーションの方法を選択するとき、当業者は、例えば、装置のサイズおよび電力消費、必要な処理能力、生産コスト、および生産量に関しての要求の組を、考えるであろう。
【０１２６】
[0131]  技術が進歩するにつれて、本発明の原理を様々な方法で実施できることが、当業者には明らかである。本発明およびその実施形態は、ここで説明した例に限定されるものではなく、特許請求の範囲で定めた範囲内で様々なものとすることができる。
なお、出願当初の特許請求の範囲の記載は以下の通りである。
請求項１：
装置であって、
無線システムの少なくとも１つの基地局からの所定のデータを含む、実際の無線システムのワイヤレス伝送を、受信方向の関数として受信するように構成される受信機と、
処理ユニットであって、
受信した前記データと、対応する所定のデータとの比較に基づいて、遅延プロフィールのタップを形成し、
前記伝送の受信方向に基づいて、前記遅延プロフィールの前記タップに関して方向を概算し、
テスト中の装置を配置可能な試験ゾーンの周りに複数のアンテナを有するオーバー・ジ・エアー・チャンバーでの多入力多出力エミュレーションにおける無線チャンネル・モデルのために、前記遅延プロフィールの前記タップを概算された前記方向と関連付けすることにより、無線チャンネル・データを形成する
ように構成される処理ユニットと
を含む装置。
請求項２：
請求項１に記載の装置であって、前記受信機は、複数の指向性スキャナー・アンテナを含み、前記処理ユニットは、スキャナー・アンテナの前記遅延プロフィールの各タップを、前記スキャナー・アンテナの方向と関連付けするように構成される、装置。
請求項３：
請求項１に記載の装置であって、前記受信機は、少なくとも１つの全方向性スキャナー・アンテナと、少なくとも２つの指向性スキャナー・アンテナとを含み、
前記処理ユニットは、前記少なくとも１つの全方向性スキャナー・アンテナにより受信したデータと、対応する所定のデータとの比較に基づいて、前記遅延プロフィールの前記タップを形成し、前記少なくとも２つの指向性スキャナー・アンテナの受信方向に基づいて、前記遅延プロフィールの前記タップに関する方向を概算するように構成される、
装置。
請求項４：
請求項１に記載の装置であって、前記受信機は、複数の全方向性スキャナー・アンテナを含み、それらの間の距離は知られており、
前記処理ユニットは、
全方向性アンテナにより受信したデータと、対応する所定のデータとの比較に基づいて、前記遅延プロフィールの前記タップを形成し、
受信した前記伝送の少なくとも１つのドップラー・シフトを測定し、
前記全方向性スキャナー・アンテナ間の前記距離に基づいて、前記全方向性アンテナ間での受信した前記伝送の少なくとも１つの位相シフトを測定し、
測定された前記少なくとも１つのドップラー・シフトと、測定された前記少なくとも１つの位相シフトとに基づいて、少なくとも１つの受信方向を概算する
ように構成される、
装置。
請求項５：
請求項１に記載の装置であって、前記処理ユニットは、前記チャンネル・データのノイズ低減を行うように構成される、装置。
請求項６：
請求項１に記載の装置であって、前記処理ユニットは、前記チャンネル・データの時間領域再サンプリングを行うように構成され、そのサンプル密度を、前記無線チャンネル・エミュレーションで用いられるサンプル密度と適合させる、装置。
請求項７：
請求項１に記載の装置であって、前記受信機は、受信方向を３次元的に分離するために２次元領域を占有する様式で配される少なくとも３の全方向性アンテナを含む、装置。
請求項８：
装置であって、
方向情報と関連するタップを持つ方向性遅延プロフィールを含む、無線システムの実際の無線チャンネルの無線チャンネル・データを受信し、
遅延プロフィールの方向的に異なるタップを、異なるオーバー・ジ・エアー・アンテナへ割り当てることにより、前記オーバー・ジ・エアー・チャンバーの前記アンテナへ前記無線チャンネル・データをマップする
ように構成される装置。
請求項９：
請求項８に記載の装置であって、方向的に異なる前記遅延プロフィールの数と、前記オーバー・ジ・エアー・チャンバーのアンテナの数とは同じであり、前記装置は、方向性遅延プロフィールのタップを所定のオーバー・ジ・エアー・アンテナへ割り当てるように構成される、装置。
請求項１０：
請求項８に記載の装置であって、
方向的に異なる前記遅延プロフィールの数は、前記オーバー・ジ・エアー・チャンバーのアンテナの数より多く、前記装置は、
少なくとも２つの連続する遅延プロフィールに基づいて、オーバー・ジ・アンテナの遅延プロフィールを形成する、
装置。
請求項１１：
請求項８に記載の装置であって、方向的に異なる前記遅延プロフィールの数は、前記オーバー・ジ・エアー・チャンバーのアンテナの数より少なく、前記装置は、
少なくとも１つの遅延プロフィールを少なくとも２つの遅延プロフィールへと分割することにより、オーバー・ジ・アンテナの遅延プロフィールを形成するように構成され、前記少なくとも２つの遅延プロフィールのそれぞれは、前記オーバー・ジ・エアー・チャンバーの異なるアンテナに対するものである、
装置。
請求項１２：
方法であって、
無線システムの少なくとも１つの基地局からの所定のデータを含むワイヤレス伝送を、受信方向の関数として受信するステップと、
受信した前記データと、対応する所定のデータとの比較に基づいて、遅延プロフィールのタップを形成するステップと、
受信方向に基づいて、前記遅延プロフィールの前記タップに関しての方向を概算するステップと、
テスト中の装置を配置可能な試験ゾーンの周りに複数のアンテナを有するオーバー・ジ・エアー・チャンバーでの多入力多出力エミュレーションにおける無線チャンネル・モデルのために、前記遅延プロフィールの前記タップを概算された前記方向と関連付けすることにより、無線チャンネル・データを形成するステップと
を含む方法。
請求項１３：
請求項１２に記載の方法であって、複数の指向性スキャナー・アンテナにより前記ワイヤレス伝送を受信するステップと、スキャナー・アンテナの前記遅延プロフィールの各タップを、前記スキャナー・アンテナの方向と関連付けするステップとを更に含む方法。
請求項１４：
請求項１２に記載の方法であって、少なくとも１つの全方向性スキャナー・アンテナと、少なくとも２つの指向性スキャナー・アンテナとにより、前記ワイヤレス伝送を受信するステップと、
前記少なくとも１つの全方向性アンテナにより受信したデータと、対応する所定のデータとの比較に基づいて、前記遅延プロフィールの前記タップを形成するステップと、
前記少なくとも２つの指向性スキャナー・アンテナの受信方向に基づいて、前記遅延プロフィールの前記タップに関する方向を概算するステップと
を更に含む方法。
請求項１５：
請求項１２に記載の方法であって、
複数の全方向性スキャナー・アンテナにより前記ワイヤレス伝送を受信するステップであって、前記複数の全方向性スキャナー・アンテナの間の距離は知られている、ステップと、
全方向性アンテナにより受信したデータと、対応する所定のデータとの比較に基づいて、前記遅延プロフィールの前記タップを形成するステップと、
受信した前記伝送の少なくとも１つのドップラー・シフトを測定するステップと、
前記スキャナー・アンテナ間の前記距離に基づいて、前記全方向性アンテナ間での受信した前記伝送の少なくとも１つの位相シフトを測定するステップと、
測定された前記少なくとも１つのドップラー・シフトと、測定された前記少なくとも１つの位相シフトとに基づいて、少なくとも１つの受信方向を概算するステップと
を更に含む方法。
請求項１６：
請求項１２に記載の方法であって、前記チャンネル・データのノイズ低減を行うステップを更に含む方法。
請求項１７：
請求項１２に記載の方法であって、前記チャンネル・データの時間領域再サンプリングを行うステップであって、そのサンプル密度を、前記無線チャンネル・エミュレーションで用いられるサンプル密度と適合させるステップを更に含む方法。
請求項１８：
方法であって、
方向情報と関連するタップを持つ方向性遅延プロフィールを含む、無線システムの実際の無線チャンネルの無線チャンネル・データを受信するステップと、
遅延プロフィールの方向的に異なるタップを、異なるオーバー・ジ・エアー・アンテナへ割り当てることにより、前記オーバー・ジ・エアー・チャンバーの前記アンテナへ前記無線チャンネル・データをマップするステップと
を含む方法。
請求項１９：
請求項１８に記載の方法であって、方向的に異なる前記遅延プロフィールの数と、前記オーバー・ジ・エアー・チャンバーのアンテナの数とが同じであるときに、方向性遅延プロフィールのタップを所定のオーバー・ジ・エアー・アンテナへ割り当てるステップを更に含む方法。
請求項２０：
請求項１８に記載の方法であって、方向的に異なる前記遅延プロフィールの数が、前記オーバー・ジ・エアー・チャンバーのアンテナの数より多いときに、少なくとも２つの連続する方向性遅延プロフィールに基づいて、オーバー・ジ・アンテナの遅延プロフィールを形成するステップを更に含む方法。
請求項２１：
請求項１８に記載の方法であって、方向的に異なる前記遅延プロフィールの数が、前記オーバー・ジ・エアー・チャンバーのアンテナの数より少ないときに、少なくとも１つの方向性遅延プロフィールを少なくとも２つの遅延プロフィールへと分割することにより、オーバー・ジ・アンテナの遅延プロフィールを形成するステップと、分割された前記遅延プロフィールのそれぞれを、前記オーバー・ジ・エアー・チャンバーの異なるアンテナに割り当てるステップとを更に含む方法。
請求項２２：
装置であって、
少なくとも１つのプロセッサーと、
コンピューター・プログラム・コードを含む少なくとも１つのメモリと
を含み、前記少なくとも１つのメモリと前記コンピューター・プログラム・コードとは、前記少なくとも１つのプロセッサーと共に、前記装置に少なくとも請求項１２のステップを行わせるように構成される、
装置。
請求項２３：
コンピューターにより読むことができる配布媒体で具体化されるコンピューター・プログラムであって、プログラム命令を含み、前記プログラム命令は、装置へロードされたときに、コンピューター・プロセスに請求項１２のステップを行わせる、コンピューター・プログラム。 
【図１】
0006368248.tif 000011
【図２】
0006368248.tif 000012
【図３】
0006368248.tif 000013
【図４】
0006368248.tif 000014
【図５Ａ】
0006368248.tif 000015
【図５Ｂ】
0006368248.tif 000016
【図６】
0006368248.tif 000017
【図７】
0006368248.tif 000018
【図８】
0006368248.tif 000019
【図９】
0006368248.tif 000020
【図１０】
0006368248.tif 000021
【図１１】
0006368248.tif 000022
【図１２】
0006368248.tif 000023
【図１３】
0006368248.tif 000024
【図１４】
0006368248.tif 000025
【図１５】
0006368248.tif 000026
【図１６】
0006368248.tif 000027